(57)【要約】  装置は、内部スペースを装置の動作中に形成することが可能なハウジングを有する。装置はまた、ハウジング内に設けられ、光学ズーム部を含むカメラを有する。光学ズーム部は、カメラの使用時に内部スペース内に伸張可能であることを特徴とする装置。
2009543151.tif 000002
【特許請求の範囲】
【請求項１】
装置であって、
前方部材と、
前記前方部材とスライド可能に接続された後方部材であって、前記後方部材が前記前方部材から離れるように移動すると前記前方部材と前記後方部材との間にスペースが形成される、後方部材と、
前記前方部材内に設けられた、光学ズーム部を有するカメラと
を備え、
該光学ズーム部は前記スペース内で伸張可能であることを特徴とする装置。
【請求項２】
前記後方部材が前記前方部材に向かって移動する場合に、前記カメラを保護することを特徴とする請求項１に記載の装置。
【請求項３】
前記前方部材の裏面は、前記カメラの一部を露出するための開口部を含むことを特徴とする請求項２に記載の装置。
【請求項４】
露出された前記カメラの一部はプリズムを含むことを特徴とする請求項３に記載の装置。
【請求項５】
前記前方部材は、ディスプレイ及びスピーカのうち少なくとも一つを含むことを特徴とする請求項１に記載の装置。
【請求項６】
前記後方部材は、少なくともキーパッド、制御ボタン及びマイクロフォンのうち少なくとも一つを含むことを特徴とする請求項１に記載の装置。
【請求項７】
前記前方部材は、前記後方部材が前記前方部材に向かって移動してきた場合に、前記後方部材を保護することを特徴とする請求項６に記載の装置。
【請求項８】
前記光学ズーム部は、前記カメラの使用時であって、前記スペースが形成されている場合に、伸張することを特徴とする請求項１に記載の装置。
【請求項９】
前記光学ズーム部は、前記カメラの未使用時には圧縮されていることを特徴とする請求項１に記載の装置。
【請求項１０】
前記カメラの使用時に前記スペースが確保されていない場合には、前記光学ズーム部の伸張が妨げられることを特徴とする請求項１に記載の装置。
【請求項１１】
前記光学ズーム部は、少なくとも１つの可動レンズと、少なくとも１つの固定レンズとを含み、
前記光学ズーム部が前記スペース内に伸張する場合に、前記可動レンズは前記固定レンズから離れるように移動することを特徴とする請求項１に記載の装置。
【請求項１２】
前記後方部材は、手動で、機械的に、または、電子機械的に前記前方部材から離れるように移動されることを特徴とする請求項１に記載の装置。
【請求項１３】
前記光学ズーム部は、機械的に、或いは、電子機械的に前記スペース内に伸張されることを特徴とする請求項１に記載の装置。
【請求項１４】
装置であって、
開口を有するハウジングと、
前記ハウジングの開口に設けられ、該開口から伸張することのできる伸張可能なフラッシュと、
前記ハウジング内に設けられた、光学ズーム部を有するカメラと、
を備え、
前記伸張可能なフラッシュが前記開口より伸張する場合にスペースが形成され、前記光学ズーム部は前記スペース内に伸張可能であることを特徴とする装置。
【請求項１５】
前記ハウジング内に設けられた基板をさらに備え、
前記スペースは、前記伸張可能なフラッシュが前記開口から伸張する場合に、前記基板と前記伸張可能なフラッシュとの間に形成されることを特徴とする請求項１４に記載の装置。
【請求項１６】
前記ハウジングは、前記カメラの前記光学ズーム部を保護することを特徴とする請求項１４に記載の装置。
【請求項１７】
前記光学ズーム部は、前記カメラの使用時であって、前記スペースが形成されている場合に、伸張することを特徴とする請求項１４に記載の装置。
【請求項１８】
前記光学ズーム部は、前記カメラの未使用時に圧縮されていることを特徴とする請求項１４に記載の装置。
【請求項１９】
前記カメラの使用時に前記スペースが確保されていない場合には、前記光学ズーム部の伸張が妨げられることを特徴とする請求項１４に記載の装置。
【請求項２０】
前記光学ズーム部は、少なくとも１つの可動レンズと、少なくとも１つの固定レンズとを含み、
前記光学ズーム部が前記スペース内に伸張する場合に、前記可動レンズは前記固定レンズから離れるように移動することを特徴とする請求項１４に記載の装置。
【請求項２１】
ディスプレイと、スピーカと、キーパッドと、コントロールボタンと、マイクロフォンとの少なくともいずれかをさらに備えることを特徴とする請求項１４に記載の装置。
【請求項２２】
前記伸張可能なフラッシュは、手動で、機械的に、または、電子機械的に前記開口から伸張されることを特徴とする請求項１４に記載の装置。
【請求項２３】
前記光学ズーム部は、機械的に、或いは、電子機械的に前記スペース内に伸張されることを特徴とする請求項１４に記載の装置。
【請求項２４】
装置であって、
内部スペースを装置の動作中に形成することが可能なハウジングと、
前記ハウジング内に設けられ、光学ズーム部を含むカメラと
を備え、
前記光学ズーム部は、前記カメラの使用時に前記内部スペース内に伸張可能であることを特徴とする装置。
【請求項２５】
光学ズーム部を有するカメラを含む装置内に内部スペースを形成する工程と、
前記カメラの光学ズーム部を起動する工程と、
前記カメラの光学ズーム部を、前記カメラの使用時に前記内部スペース内で伸張する工程と
を備えることを特徴とする方法。
【発明の詳細な説明】
【技術分野】
【０００１】
ここで記述する実施形態は、一般的に装置に関連する。また、装置のための圧縮可能なズームカメラに関連する。
【０００２】
光学ズーム部を有するカメラモジュールは、装置（例えば、移動体通信装置）に対し課題を提供する。これは、光学ズーム部は装置内で貴重なスペースを消費し、装置のサイズを大きくする必要があるためである。例えば、移動体通信装置は、ズームインして、静止画や動画を撮影することをユーザに可能とする光学ズーム部を有するカメラを含むことができる。そのような光学ズームカメラを使用しない理由の一つは、光学ズーム部の１又は複数のレンズが移動するために装置内に余分なスペースが必要となるためである。しかしながら、光学ズームカメラに余分なスペースを与えることは、今日の小型化を目標としている装置には望ましくない。
【発明の概要】
【０００３】
発明のある側面によれば、装置は、前方部材と、前方部材とスライド可能に接続された後方部材を含むことができる。後方部材が前方部材から離れるように移動すると前方部材と後方部材との間にスペースが形成される。装置はまた、前方部材内に設けられた、光学ズーム部を有するカメラを含むことができる。該光学ズーム部はスペース内で伸張可能である。
【０００４】
さらに、後方部材が前方部材に向かって移動する場合に、カメラを保護することができる。
【０００５】
さらに、前方部材の裏面は、カメラの一部を露出するための開口部を含むことができる。
【０００６】
さらに、露出されたカメラの一部はプリズムを含むことができる。
【０００７】
さらに、前方部材は、ディスプレイ及びスピーカのうち少なくとも一つを含むことができる。
【０００８】
さらに、後方部材は、少なくともキーパッド、制御ボタン及びマイクロフォンのうち少なくとも一つを含むことができる。
【０００９】
さらに、前方部材は、後方部材が前方部材に向かって移動してきた場合に、後方部材を保護することができる。
【００１０】
さらに、光学ズーム部は、カメラの使用時であって、スペースが形成されている場合に、伸張することができる。
【００１１】
さらに、光学ズーム部は、カメラの未使用時には圧縮されていてもよい。
【００１２】
さらに、カメラの使用時にスペースが確保されていない場合には、光学ズーム部の伸張が妨げられてもよい。
【００１３】
さらに、光学ズーム部は、少なくとも１つの可動レンズと、少なくとも１つの固定レンズとを含むことができる。また、光学ズーム部がスペース内に伸張する場合に、可動レンズは固定レンズから離れるように移動することができる。
【００１４】
さらに、後方部材は、手動で、機械的に、または、電子機械的に前方部材から離れるように移動されることができる。
【００１５】
さらに、光学ズーム部は、機械的に、或いは、電子機械的にスペース内に伸張されることができる。
【００１６】
発明の別の側面によれば、装置は、開口を有するハウジングと、ハウジングの開口に設けられたフラッシュを含むことができる。伸張可能なフラッシュは、開口から伸張することができ、伸張可能なフラッシュが開口より伸張する場合にスペースを形成することができる。装置はまた、ハウジング内に設けられた、光学ズーム部を有するカメラを有することができる。光学ズーム部はスペース内に伸張可能である。
【００１７】
さらに、装置はハウジング内に設けられた基板をさらに有することができる。スペースは、伸張可能なフラッシュが開口から伸張する場合に、基板と伸張可能なフラッシュとの間で形成できる。
【００１８】
さらに、ハウジングは、カメラの光学ズーム部を保護することができる。
【００１９】
さらに、光学ズーム部は、カメラの使用時であって、スペースが形成されている場合に、伸張することができる。
【００２０】
さらに、光学ズーム部は、カメラの未使用時に圧縮されていてもよい。
【００２１】
さらに、カメラの使用時にスペースが確保されていない場合には、光学ズーム部の伸張が妨げられてもよい。
【００２２】
さらに、光学ズーム部は、少なくとも１つの可動レンズと、少なくとも１つの固定レンズとを含むことができる。光学ズーム部がスペース内に伸張する場合に、可動レンズは固定レンズから離れるように移動することができる。。
【００２３】
さらに、装置は、ディスプレイと、スピーカと、キーパッドと、コントロールボタンと、マイクロフォンとの少なくともいずれかをさらに有することができる。
【００２４】
さらに、伸張可能なフラッシュは、手動で、機械的に、または、電子機械的に開口から伸張されてもよい。
【００２５】
さらに、光学ズーム部は、機械的に、或いは、電子機械的にスペース内に伸張されてもよい。
【００２６】
発明の更なる側面によれば、装置は、内部スペースを装置の動作中に形成することが可能なハウジングと、ハウジング内に設けられ、光学ズーム部を含むカメラとを有することができ、光学ズーム部は、カメラの使用時に内部スペース内に伸張可能である。
【００２７】
発明の更なる側面によれば、方法は、光学ズーム部を有するカメラを含む装置内に内部スペースを形成する工程と、カメラの光学ズーム部を起動する工程と、カメラの光学ズーム部を、カメラの使用時に内部スペース内で伸張する工程とを備えることができる。
【図面の簡単な説明】
【００２８】
本明細書に組み込まれ、その一部を成すところの添付図面は、発明の実施形態を記載し、実施形態の説明と共に発明を説明する。
【図１Ａ】、
【図１Ｂ】本発明の原理に対応するシステム及び方法が実施される典型的な装置のブロック図である。
【図２Ａ】本発明の原理に対応する実施形態に従う、クローズポジションにおける図１の典型的な装置の典型的なスライダバージョンにおける正面図である。
【図２Ｂ】本発明の原理に対応する実施形態に従う、部分的オープンポジションにおける図２Ａの典型的なスライド装置の正面図である。
【図２Ｃ】本発明の原理に対応する実施形態に従う、クローズポジションにおける図２Ａ及び図２Ｂの典型的なスライド装置の背面図である。
【図２Ｄ】本発明の原理に対応する実施形態に従う、部分的オープンポジションにおける図２Ａ乃至図２Ｃの典型的なスライド装置の背面図である。
【図３Ａ】本発明の原理に対応する実施形態に従う、圧縮ポジションにおけるカメラの圧縮可能な光学ズーム部を示す、図２Ａ乃至図２Ｄの典型的なスライド装置のクローズポジションにおける側面の部分断面図である。
【図３Ｂ】本発明の原理に対応する実施形態に従う、部分的オープンポジションにより生成されたスペースを示す、図２Ａ乃至図２Ｄ、図３Ａの典型的なスライド装置の部分的オープンポジションにおける側面の部分断面図である。
【図３Ｃ】本発明の原理に対応する実施形態に従う、伸張ポジションにおける圧縮可能な光学ズーム部を示す、図２Ａ乃至図２Ｄ、図３Ａ及び図３Ｂの典型的なスライド装置の部分的オープンポジションにおける側面の部分断面図である。
【図４Ａ】本発明の原理に対応する実施形態に従う、クローズポジションにおける図１の典型的な装置の典型的な伸張可能なフラッシュバージョンを示す正面図である。
【図４Ｂ】本発明の原理に対応する実施形態に従う、クローズポジションにおける図４Ａの装置の基板及び伸張可能なフラッシュを示す正面図である。
【図４Ｃ】本発明の原理に対応する実施形態に従う、オープンポジションにおける図４Ａの伸張可能なフラッシュ装置の正面図である。
【図４Ｄ】本発明の原理に対応する実施形態に従う、オープンポジションにおける図４Ａ及び図４Ｃの装置の基板及び伸張可能なフラッシュを示す正面図である。
【図４Ｅ】図４Ｂの基板と伸張可能なフラッシュの詳細な部分切り欠き図であって、本発明の原理に対応する実施形態に従う、クローズポジションにおける伸張可能なフラッシュを示す正面図である。
【図４Ｆ】本発明の原理に対応する実施形態に従う、オープンポジションにおける伸張フラッシュを示し、図４Ｄの装置の基板及び伸張可能なフラッシュのの詳細を示す部分切り欠き図である。
【図５】本発明の原理に対応する実施形態に従う典型的な処理のフローチャートである。
【発明を実施するための形態】
【００２９】
以下で、添付図面を参酌して発明を詳細に述べる。同一又は類似の要素については、異なる図面であっても同一の参照番号を付している。
【００３０】
発明の原理に対応する実施形態は、圧縮可能な光学ズーム部を有するカメラを含む装置に関連する。圧縮可能な光学ズーム部を利用し、装置がカメラモードにあるときに装置内にスペースを提供することで、カメラの光学ズーム部は装置内の当該スペースへ伸張し、光学ズーム機能を提供することができる。例えば、ある実施形態では、装置の一部（例えば、キーパッド及び制御ボタンの少なくともいずれかを含む部分）が、装置の保護カバーから離れるようにスライドする際に、スペースが装置内に設けられる。カメラの光学ズーム部は、未使用時は圧縮され、使用時に伸張される。また、装置の一部が保護カバーから離れるようにスライドし、カメラの光学ズーム部のためのスペースが生成される。光学ズーム部は、装置の保護カバー内に保持され、使用時でも保護される。カメラの光学ズーム部が伸張すると、光学ズーム部の内部レンズはカメラの光学的ニーズ（例えば、要求されるズーム）に従って移動する。別の実施形態では、伸張可能なフラッシュが装置に設けられる。伸張可能なフラッシュは、装置の保護カバーの外側に伸張することができる。もし伸張可能なフラッシュが保護カバーの外側に伸張した場合、装置内にスペースが生成される。当該スペースは、カメラの光学ズーム部の伸張のために利用することができる。光学ズーム部は、装置の保護カバー内に保持され、使用時にも保護される。カメラの光学ズーム部が伸張すると、光学ズーム部の内部レンズはカメラの光学的ニーズ（例えば、要求されるズーム）に従って移動する。
【００３１】
以下の説明では、装置について記述する。ここで「装置」との用語が使用される場合、そこには、無線電話機、携帯電話機とデータ処理、ファクシミリ及びデータ通信の機能とが組み合わされた個人用通信システム（ＰＣＳ）端末、無線電話機、ページャ、インタネット／イントラネット接続、ブラウザ、オーガナイザ、カレンダ、ドロッパ受信器及びＧＰＳ受信器の少なくともいずれかを含むことのできるＰＤＡ（personal digital assistant）、ラップトップコンピュータ、ＧＰＳ装置、パーソナル・コンピュータ、ＭＰ３プレーヤ（例えば、ｉＰｏｄ）、プリンタ、ファクシミリ装置、ページャ、カメラ（従来型のカメラ、または、デジタルカメラ）、ビデオカメラ（例えば、カムコーダ）、計算機、双眼鏡、望遠鏡及び他のカメラを利用可能な装置の少なくともいずれかを含むことができる。
【００３２】
ここで、「カメラ」との用語が使用される場合、静止画像及び動画像の少なくともいずれかを撮影して格納することのできる装置をいう。例えば、デジタルカメラは、従来的なカメラのように写真フィルムを利用するのとは異なり、静止画像及び動画像の少なくともいずれかを電子的に撮影して格納することのできる電子装置である。デジタルカメラは多機能であっても良く、静止画と同時に音声や動画を記録できるものも含まれる。
【００３３】
カメラは光学ズーム部を有することができる。ここで「光学ズーム部」とは、機械的、電気的、及び電気機械的の少なくともいずれかにおいて制御されるレンズアセンブリを含むことができる。レンズアセンブリの焦点距離は、固定焦点距離を有する常用レンズに対して変化が可能である。「ズームレンズ」は、最長の焦点距離と最短の焦点距離との比によって記述することができる。例えば、１００ミリメータ（ｍｍ）から４００ｍｍの範囲の焦点距離を有するズームレンズは、「４ｘ」ズームと記述することができる。ズームレンズは、例えば約「１ｘ」以上から約「１２ｘ」までの範囲とすることができる。デジタルカメラによっては、より焦点距離の長いズームレンズの効果をエミュレートするために、ズームレンズの限界に到達した場合に撮影画像のトリミングや拡大を可能とするものがある。例えば、多くのズームレンズは、複数のレンズ体を含み、それらは固定されているか、或いは、レンズ本体に沿って軸方向にスライド可能となっている。もし、ズームレンズの倍率が変化する場合、合焦画像を鮮明に保つために焦点面の移動が補償される。この補償は、機械的手段（例えば、レンズの倍率が変化するようにレンズアセンブリを移動させること）と、光学的手段（例えば、レンズがズームされるように、焦点面の位置を調整してできるだけ小さく変化させることで）の少なくともいずれかにより実現される。ズームレンズは、２つのパーツに分割することができる。アフォーカル・ズーム・システムは、焦点レンズより前に配置される（例えば、固定レンズ要素と可動レンズ要素の配置により、レンズシステムの倍率を変更することができる）。アフォーカル・ズーム・システムは、例えば、焦点距離が等価な２枚の正レンズと、該正レンズの間の１枚の負（発散）レンズとを含むことができ、負レンズの焦点距離は、正レンズの焦点距離の半分の長さよりも短い。１枚の正レンズを固定し、もう１枚の正レンズと負レンズとを、非線形に軸方向において移動可能とすることができる。そのような移動は、例えば、ギアやカムをレンズハウジング内に配置することで実現することができる。但し、コンピュータ制御のサーボを利用すること可能である。レンズが移動すると、システムの全体の倍率は変化し、ズームレンズの実効焦点距離が変化する。
【００３４】
［典型的な装置］
図１Ａ及び図１Ｂは、発明の原理に対応する実施形態に従う典型的な装置１００のブロック図である。図１Ａ及び図１Ｂに示すように、装置１００はハウジング１１０、スピーカ１２０、ディスプレイ１３０、コントロールボタン１４０、キーパッド１５０、マイクロフォン１６０及び／又はカメラ１７０を含むことができる。ハウジング１１０は、装置１００のコンポーネントを外部要素から保護する。スピーカ１２０は装置１００のユーザに可聴情報を提供する。ディスプレイ１３０は視覚情報をユーザに提供する。例えば、ディスプレイ１３０は呼の着信や発信、ゲーム、電話帳、現在時刻、電子メールなどに関する情報を提供することができる。コントロールボタン１４０は、ユーザが装置１００とインタラクトして、装置１００に１以上の動作を実行させる。キーパッド１５０は、標準的な電話用キーパッドや装置１００への情報入力を可能とする追加のキーを含むことができる。マイクロフォン１６０は、可聴情報をユーザから受け付ける。
【００３５】
カメラ１７０は、ユーザに動画や静止画（写真）の撮影及び保存を可能とする。カメラ１７０は、装置１００の正面に設けられてもよいし、或いは装置の背面に設けられてもよい（図１Ｂを参照）。カメラ１７０の内部コンポーネントについては、以下でより詳細に説明する。
【００３６】
［第１の典型的な装置構成］
図２Ａ乃至図２Ｄは、発明の原理に対応する実施形態に従った図１の典型的な装置（例えば、装置１００）のスライダバージョンの典型例を示す。図２Ａの正面図に示すように、スライダバージョンの装置（例えば、装置１００）は、（図２Ａにおいて点線で部分的に示されている）背面の可動部２２０をカバーする前方部材２１０を含むことができる。
【００３７】
前方部材２１０及び後方部材２２０は、装置１００を構成するために結合される。ある実施形態では、例えば前方部材２１０と後方部材２２０とは、長手方向にスライド可能に組み合わされた２つの独立したコンポーネントとして構成できる。後方部材２２０は、図２Ｂに示すように、所定距離だけ前方部材２１０から飛び出すように前方部材２１０に対してスライドすることができる。図２Ｂに更に示すように、スピーカ１２０とディスプレイ１３０とを前方部材２１０の前表面に設け、コントロールボタン１４０及びキーパッドの少なくともいずれかを後方部材２２０の前表面に設けることができる。コントロールボタン１４０及びキーパッドの少なくともいずれかは、後方部材２２０がスライドされ、前方部材２１０よりも突き出たとき（即ち、図２Ｂに示すオープンポジション及び部分的なオープンポジション）に露出されてもよい。コントロールボタン１４０及びキーパッド１５０の少なくともいずれかは、図２Ａのクローズポジションで示すように、後方部材２２０と前方部材２１０とが互いに重なり合っている場合に、前方部材２１０によりカバーされていてもよい。
【００３８】
典型的な実施形態によれば、前方部材２１０と後方部材２２０が互いにスライド動作を行うための構造は、メインプレートとスライドプレートとを含むことができる。ある実施形態では、メインプレートが前方部材２１０に取り付けられ、スライドプレートが後方部材２２０に取り付けられていてもよい。別の実施形態では、メインプレートが後方部材２２０に接続され、スライドプレートが前方部材２１０に接続されていてもよい。ガイドチャンネルは、メインプレートの両側面に長手方向に形成することができる。メインプレートの外側端を通るように穴を設けることができる。当該穴はねじりバネの端部を受け入れることができる。ガイドリブは、スライドプレートがガイドチャネルに沿ってガイドされてスライドするように、スライドプレートの外側両端に設けることができる。メインプレートとスライドプレートとは、ねじりバネを介して相互接続されてもよい。ねじりバネの一端はメインプレートの一方の穴に適合され、ねじりバネの他端は、スライドプレートの穴に適合されてもよい。ねじりバネのペアは、対称的に設けられる。動作時に、後方部材２２０が前方部材２１０に対してスライドする場合、スライドプレートはメインプレートに沿ってスライドする。ねじりバネは、後方部材２２０が前方部材２１０と重なり合う状態（即ち、図２Ａのクローズポジション）を維持し、前方部材２１０から十分に突き出るように（即ち、図２Ｂのオープンポジション）、弾性力を提供する。言い換えると、もしユーザがスライドプレートをメインプレートに対する所定の位置から移動させると、スライドプレートはねじりバネの弾性力により所定位置に確実に移動することができる。
【００３９】
図２Ｃ及び図２Ｄを参照すると、もし後方部材２２０が（図２Ｃに示す）クローズポジションにある場合、後方部材２２０は、前方部材２１０の裏面に配置されたカメラ１７０を保護することができる。もし、後方部材２２０がオープンポジションとなるか、（図２Ｄに示すように）部分的にオープンポジションとなった場合、後方部材２２０はカメラ１７０を保護せず、カメラ１７０は装置１００で利用するために露出される。
【００４０】
前方部材２１０及び後方部材２２０の少なくともいずれかは、装置における利用形態や装置１００の大きさの少なくともいずれかに応じて、様々なサイズ及び形状において形成することができる。例えば、ある実施形態では、前方部材２１０及び後方部材２２０の少なくともいずれかが携帯電話に提供される場合、携帯電話よりも大きな装置に提供される場合よりも小さいサイズとすることができる。前方部材２１０及び後方部材２２０の少なくともいずれかの寸法（例えば、長さ、幅、或いは、厚み）は、素材、形状、及び、前方部材２１０及び後方部材２２０の少なくともいずれかにより提供される度合いの少なくともいずれかに依存することができる。例えば、厚みが少ないほど剛性が小さくなるので、ハウジング１１０の保護性能は劣る。
【００４１】
前方部材２１０及び後方部材２２０の少なくともいずれかは、上記の装置のいずれかのハウジングを製造するために用いられるどんな材料も含む、様々な材料で製造することができる。例えば、ある実施形態では、前方部材２１０及び後方部材２２０の少なくともいずれかを熱可塑性プラスチック、金属、エストラマ（例えば、合成ゴム及び天然ゴムの少なくともいずれか）、及び、他の類似の材料の少なくともいずれかにより製造することができる。
【００４２】
図３Ａは、図２Ａ乃至図２Ｄの典型的なスライド装置のクローズポジションにおける部分断面を示す側面図である。図３Ａはまた、発明の原理に対応する実施形態に従って圧縮ポジションにおける圧縮可能な光学ズームカメラを示す。圧縮可能な光学ズームカメラは、図２Ｃ及び図２Ｄのカメラ１７０に対応し、プリズム３１０と光学ズーム部３２０を含むことができる。図３Ａは、プリズム３１０と光学ズーム部３２０を簡単化して示しているが、発明の実施形態に従う圧縮可能な光学ズームカメラ（例えば、カメラ１７０）は、プリズム３１０と光学ズーム部３２０以外のより多くの、或いは、より少ない要素を含むことができる。
【００４３】
プリズム３１０は、装置における利用形態や装置１００の大きさの少なくともいずれかに応じて、様々なサイズ及び形状において形成することができる。例えばある実施形態では、プリズム３１０が携帯電話に用いられる場合、携帯電話よりも大きな装置に利用される場合よりも小さいサイズとすることができる。プリズム３１０の寸法（例えば、長さ、幅、或いは、厚み）は、素材、形状、及び、装置によるプリズムの利用形態の少なくともいずれかに依存することができる。例えばある実施形態では、プリズム３１０は平面で構成される幾何学的図形とすることができ、その底面は、平行面と同一方向の等価な多角形である。これらの多角形の対応する（平行な）辺によって定義される平面は、全て平行な直線で交差し、プリズムの側面は平行四辺形となる。別の実施形態では、プリズム３１０は、三角柱、四角柱、六角柱、及び他の同様のタイプの角柱の少なくともいずれかである。
【００４４】
プリズム３１０は、カメラプリズムを製造するために用いられるどんな材料も含む、様々な材料で製造することができる。例えば、ある実施形態では、プリズム３１０は光学熱可塑性プラスチック、光学ガラス及び、他の類似の材料の少なくともいずれかにより製造することができる。別の実施形態では、プリズム３１０の角度及び材料の少なくともいずれかを、プリズム３１０から出る光の波長に基づいて選択することもできる。
【００４５】
図３Ａに更に示されるように、光学ズーム部３２０は、固定レンズ３３０と可動レンズ３４０を含むことができる。図３Ａは簡単のため、２つのレンズ（例えば、固定レンズ３３０と可動レンズ３４０）を有する光学ズーム部３２０を示している。しかしながら、実施形態によってはより多くの、或いはより少ない固定レンズ及び可動レンズの少なくともいずれかを光学ズーム部３２０に設けてもよい。もし、光学ズームの倍率が変更される場合、焦点面の移動は、機械的手段（例えば、レンズの倍率が変化するようにレンズ３４０を移動させること）と、光学的手段（例えば、レンズ３４０がズームされるように、焦点面の位置を調整してできるだけ小さく変化させることで）の少なくともいずれかにより実現される。そのような機械的移動は、例えば、ギアやカム（不図示）を光学ズーム部３２０内に配置することで実現することができる。但し、コンピュータ制御のサーボを利用すること可能である。可動レンズ３４０が移動すると、システムの全体の倍率は変化し、ズームレンズの実効焦点距離が変化する。
【００４６】
光学ズーム部３２０は、装置１００における利用形態及びサイズの少なくともいずれかに応じて、様々なサイズ及び形状において形成することができる。例えば、ある実施形態では、光学ズーム部３２０は、携帯電話に用いられる場合、携帯電話よりも大きな装置に利用される場合よりも小さいサイズとすることができる。別の実施形態では、光学ズーム部３２０は圧縮可能とすることもできる。言い換えれば、光学ズーム部３２０の寸法（例えば、長さ、幅等）は、光学ズーム部３２０の未使用時に圧縮することができる（例えば、小さくなる）。図３Ａは、光学ズーム部３２０が圧縮ポジションにある場合を示している。
【００４７】
図３Ｂは、図２Ａ乃至図２Ｄ及び図３Ａの典型的なスライド装置の部分的オープンポジションにおける側面図である。図３Ｂはまた、発明の原理に対応する実施形態に従って、スペース３５０をオープンポジションにより生成することができる。スペース３５０は、装置１００の前方部材２１０と後方部材２２０との間に生成することができる。スペース３５０は、後方部材２２０が前方部材２１０から離れるように伸びるに従い、大きくなる。ある実施形態では、後方部材２２０に引力を与えることにより、後方部材２２０を前方部材２１０から離れるように手動で移動させることができる。別の実施形態では、後方部材２２０を、リリース機構（例えば、ボタンの押下に応じて後方部材２２０を前方部材２１０から引き離す力を及ぼす機構（例えば、バネ））を利用して機械的に前方部材２１０から離れるように移動させることができる。更なる別の実施形態では、後方部材２２０を、電子機械的メカニズム（例えば、電気モータが後方部材２２０を前方部材２１０から引き離すような力を与える）を用いて電子機械的に前方部材２１０から離れるように移動させることができる。図２Ａ乃至２Ｄのスライダ装置は、同様の手動、機械的、電子機械的方法により、クローズポジションに戻ることができる。別の実施形態では、前方部材２１０が可動し、後方部材２２０が固定されていてもよい。そのような構成においても、同様の手動式、機械式及び電子機械式の少なくともいずれかの方法を利用して、前方部材２１０を後方部材２２０に向かって、及び／又は、後方部材２２０から離れるように移動させることができる。
【００４８】
図３Ｂに更に示されるように、光学ズーム部３２０は圧縮ポジションにある。しかしながら、ある実施形態では、カメラ（例えばカメラ１７０）の起動に応じて、図３Ｃに示すように光学ズーム部３２０を伸張ポジションと見なしても良い。言い換えると、光学ズーム部３２０の寸法（例えば、長さ、幅等）を、光学ズーム部３２０の使用時に拡大することができる（例えば、大きくなる）。発明の原理に従うある実施形態では、図３に示すように、光学ズーム部３２０は、後方部材２２０を前方部材２１０から離れるようにスライド移動させることにより前方部材２１０と後方部材２２０との間に形成されたスペース３５０内へ伸びている。図３Ｃに更に示すように、光学ズーム部３２０が伸張されると、可動レンズ３４０は固定レンズ３３０から離れるように移動する。倍率（即ち、ズーム機能）は、可動レンズ３４０と固定レンズ３３０との間の距離に基づいて調整される。
【００４９】
ある実施形態では、光学ズーム部３２０は、機械的メカニズム（例えば、ギア、カム等の光学ズーム部３２０を伸張するために利用されるもの）を用いて機械的に伸張される。更なる別の実施形態では、光学ズーム部３２０は電子機械的メカニズム（例えば、電気モータが光学ズーム部３２０を伸張する。）を用いて電子機械的に伸張される。光学ズーム部３２０は、同様の機械的及び電子機械的方法により圧縮ポジションに戻ることができる。
【００５０】
図３Ｃは、光学ズーム部３２０がスペース３５０内の一部に伸張している場合を示しているが、光学ズーム部３２０は、スペース３５０の全体長に収まるようなサイズを有することもできる。光学ズーム部３２０及びスペース３５０のサイズは、光学ズームの倍率（例えば、４ｘ、５ｘ等）と同様、光学ズーム部３２０がスペース３５０内にどの程度伸張するかによって決定される。
【００５１】
典型的な動作（例えば、カメラ１７０及び光学ズーム部３２０の少なくともいずれかが動作する場合）では、（カメラ１７０により撮影される静止画及び動画の少なくともいずれかを表す）光が、プリズム３１０に入射し、光学ズーム部３２０に反射される。レンズ３３０と３４０との間の距離に基づいて、光学ズーム部３２０はプリズム３１０により反射される静止画及び動画の少なくともいずれかの倍率を調整することができる。拡大された静止画及び動画の少なくともいずれかは、上述のカメラのいずれか（例えば、カメラ１７０）により典型的な手法により撮影され、保存される。
【００５２】
図２Ａ乃至図２Ｄ及び図３Ａ乃至図３Ｃは、後方部材２２０が、前方部材２１０の底部から長手方向に離れるようにスライドする様子を示すが、様々な方法で後方部材２２０は前方部材２１０から離れるように伸張して、スペース３５０を形成することができる。例えばある実施形態では、後方部材２２０は、前方部材２１０の上端から離れるように長手方向に伸張しても良い。他の実施形態では、後方部材２２０は、前方部材２１０の一方の辺に対して回転して、光学ズーム部３２０を収納する前方部材２１０と後方部材２２０との間のスペースを形成することができる。
【００５３】
図には示していないが、光学ズーム部３２０は、カメラ（例えばカメラ１７０）が動作しているがスペース３５０が光学ズーム部３２０に提供されていない場合は、伸張が妨げられても良い。例えば、装置１００は、光学ズーム部３２０を収納するのに十分な程度、後方部材２２０が前方部材２１０から離れたことを検知できる。言い換えれば、装置１００はスペース３５０が、光学ズーム部３２０の寸法を収容できる程度に大きくなったことを検知することができる。
【００５４】
［第２の典型的な装置構成］
図４Ａ乃至図４Ｆは、本発明の原理に対応する実施形態に従った図１の典型的な装置（例えば、装置１００）の伸張可能なフラッシュバージョンの典型例を示す図である。図４Ａの正面図に示すように、装置（例えば、装置１００）の伸張可能なフラッシュバージョンは、カメラ（例えば、カメラ１７０）の自動露光システムと結合可能な内蔵の自動フラッシュ、電子キセノンフラッシュランプ（例えば、短い閃光を放つ電気アークを生成するために電気が放電されるところの、キセノン・ガスが充填されたチューブを含む電子フラッシュ）、マイクロフラッシュ（高電圧フラッシュ・ユニットであり、サブマイクロ秒の期間で、閃光を放出するように設計されている。）及び、シーンの輝度を補うために瞬間的な閃光（例えば、１／１０００秒程度）をある色温度（例えば、約５５００Ｋ）において生成する他の装置の少なくともいずれかを含むことができる。伸張可能なフラッシュ４１０が、様々な理由（例えば、素早く移動物体を撮影したい、環境光とは異なる温度光を生成したい等）により用いられる一方で、画像を適切に露出するのに十分な光が得られない場合に、シーンを照らすために利用されてもよい。「フラッシュ」との用語は、フラッシュ光自体を意味するだけでなく、フラッシュ光を出力する電子的なフラッシュ・ユニットを口語的に表現する語としても使われる。
【００５５】
伸張可能なフラッシュ４１０は、装置１００における利用形態及びサイズの少なくともいずれかに応じて、様々なサイズ及び形状において形成することができる。例えば、図４Ａに示すようなある実施形態では、伸張可能なフラッシュ４１０は、装置１００のハウジング１１０内に収まるようにサイズが決定される。別の実施形態では、図４Ｂに示すように、伸張可能なフラッシュ４１０は、基板４２０に取り付けられるような形状を有することができる。伸張可能なフラッシュ４１０の寸法（例えば、長さ、幅など）は、伸張可能なフラッシュ４１０の材料、機能及び形状の少なくともいずれかと、装置１００のサイズとの少なくともいずれかに基づくことができる。例えば、伸張可能なフラッシュ４１０により照射されるべき光量がより多い場合には、伸張可能なフラッシュ４１０もより大きくなるが、装置１００内で大きすぎるスペースを占有する程ではない。
【００５６】
伸張可能なフラッシュ４１０は、ハウジング１１０にさまざまな方法で接続される。ある実施形態では、例えば、ハウジングの片側において、従来的な接続メカニズム（例えば、伸張可能なフラッシュ４１０を収容するサイズを有するスロット、開口部のガイドレール等）により、伸張可能なフラッシュ４１０をスライド可能に受け入れることができる。図４Ａは伸張可能なフラッシュ４１０がハウジング１１０の片側に接続されている場合を示しているが、発明の原理に対応する実施形態では、伸張可能なフラッシュ４１０はハウジング１１０の他方の側、上部及び底部の少なくともいずれかに、スライド可能に接続されても良い。図４Ａ及び図４Ｂは、伸張可能なフラッシュ４１０のクローズポジションを示している。言い換えると、伸張可能なフラッシュ４１０は、ほぼ完全にハウジング１１０内に設けられている。
【００５７】
基板４２０は、装置１００のハウジング１１０内に設けられる。基板４２０は、例えば、プリント回路基板（ＰＣＢ）、リジッド−フレックス回路、フレックス回路、半導体パッケージ、マルチチップ・モジュール、マイクロ・エレクトロ・メカニズム・システム（ＭＥＭＳ）、セラミック回路等のあらゆる電子技術ベースの基板を含むことができる。基板４２０は、装置１００における利用形態及びサイズの少なくともいずれかに応じて、様々なサイズ及び形状において形成することができる。例えば、ある実施形態では、基板４２０が携帯電話に用いられる場合、ラップトップ・コンピュータに用いられる場合よりも小さいサイズとすることができる。基板４２０は、既存の電子技術ベースの基板（例えば、ＰＣＢ）を製造するために利用されるあらゆる材料を含めた、様々な材料で製造することができる。例えばある実施形態では、基板４２０は、非導電性の基板上にラミネートされた銅シートからエッチングして形成される導電性経路や配線を含むことができる。基板４２０は、装置における利用形態に応じて様々な電気的コンポーネントを含むことができる。例えば、基板４２０は、スイッチ、接点、配線、キャパシタ、抵抗、インダクタ、バリスタ、ダイオード、トランジスタ、発振器、共振回路、リレーなどを含むことができる。ある実施形態では、図４Ａ及び図４Ｂに示すように、基板４２０はカメラ（例えば、カメラ１７０）を含むことができる。
【００５８】
図４Ｃは、装置１００の正面図であり、発明の原理に対応する実施形態に従うオープンポジションにおける伸張可能なフラッシュ４１０を示す。言い換えると、伸張可能なフラッシュ４１０は、装置１００のハウジング１１０から離れるように伸張する。ある実施形態では、伸張可能なフラッシュ４１０は、伸張可能なフラッシュ４１０に引力を与えることにより、伸張可能なフラッシュ４１０をハウジング１１０から離れるように手動で移動させることができる。別の実施形態では、伸張可能なフラッシュ４１０を、リリース機構（例えば、ボタンの押下に応じて伸張可能なフラッシュ４１０をハウジング１１０から引き離す力を及ぼす機構（例えば、バネ））を利用して機械的にハウジング１１０から離れるように移動させることができる。更なる別の実施形態では、伸張可能なフラッシュ４１０を、電子機械的メカニズム（例えば、電気モータが伸張可能なフラッシュ４１０をハウジング１１０から引き離すような力を与える）を用いて電子機械的にハウジング１１０から離れるように移動させることができる。伸張可能なフラッシュ４１０は、同様の手動、機械的、電子機械的方法により、クローズポジションに戻ることができる。
伸張可能なフラッシュ４１０がハウジングから離れるように移動する場合、図４Ｄに示すように、伸張可能なフラッシュ４１０と基板４２０との間にスペース４３０が形成される。スペース４３０は、伸張可能なフラッシュ４１０が基板４２０から離れるように伸張するにつれて大きくなる。
【００５９】
図４Ｅに示すように、光学ズーム部３２０がカメラ（例えば、カメラ１７０）に提供され、基板４２０とスライド可能に接続されても良いし、されなくても良い。図４Ｅに更に示すように、光学ズーム部３２０は圧縮ポジションにある。しかしながら、カメラ（例えばカメラ１７０）の起動に応じて、図４Ｆに示すように光学ズーム部３２０は伸張ポジションになることができる。言い換えると、光学ズーム部３２０の使用時には、光学ズーム部３２０の寸法（例えば、長さ、幅等）が拡大される（例えば、大きくなる）。発明の原理に対応するある実施形態では、図４Ｆに示されるように、光学ズーム部３２０は、伸張可能なフラッシュ４１０が基板４２０から離れるようにスライド移動することで伸張可能なフラッシュ４１０と基板４２０との間に形成されるスペース４３０内に伸張される。図４Ｆに更に示すように、光学ズーム部３２０が伸張する場合、可動レンズ（例えば、レンズ３４０）は、固定レンズ（例えば、レンズ３３０）から離れるように移動することができる。倍率（即ち、ズーム機能）は、可動レンズと固定レンズとの間の距離に基づいて調整される。
【００６０】
ある実施形態では、光学ズーム部３２０は、機械的メカニズム（例えば、ギア、カム等の光学ズーム部３２０を伸張するために利用されるもの）を用いて機械的に伸張される。更なる別の実施形態では、光学ズーム部３２０は電子機械的メカニズム（例えば、電気モータが光学ズーム部３２０を伸張する。）を用いて電子機械的に伸張される。光学ズーム部３２０は、同様の機械的及び電子機械的方法により圧縮ポジションに戻ることができる。
【００６１】
図４Ｆでは、光学ズーム部３２０はスペース４３０内に伸張しているが、光学ズーム部３２０は、スペース４３０の全体長に収まるようなサイズを有することができる。光学ズーム部３２０及びスペース４３０のサイズは、光学ズームの倍率（例えば、４ｘ、５ｘ等）と同様、光学ズーム部３２０がスペース４３０内にどの程度伸張するかによって決定される。
【００６２】
図には示していないが、光学ズーム部３２０は、カメラ（例えばカメラ１７０）が動作しているがスペース４３０が光学ズーム部３２０に提供されていない場合は、伸張が妨げられても良い。例えば、装置１００は、光学ズーム部３２０を収納するのに十分な程度、伸張可能なフラッシュ４１０がハウジング１１０から離れたことを検知できる。言い換えれば、装置１００はスペース４３０が、光学ズーム部３２０の寸法を収容できる程度に大きくなったことを検知することができる。
【００６３】
［典型的な処理］
図５は、発明の原理に対応する実施形態に従う典型的な処理のフローチャートである。図５に示すように、処理５００は、カメラと光学ズーム部３２０を有する装置内に、内部追加スペースを生成する（ブロック５１０）。例えば、図２Ａ乃至図２Ｄ及び図３Ａ乃至図３Ｃとの関連で説明した実施形態では、スペース３５０は装置１００のスライダバージョンにおいて、装置１００の前方部材２１０と後方部材２２０との間で生成される。ここで、後方部材２２０が前方部材２１０から離れるように伸びるのに従い、スペース３５０は大きくなる。図４Ａ乃至図４Ｆとの関連で説明した別の実施形態では、装置１００の伸張可能なフラッシュバージョンにおいて、伸張可能なフラッシュ４１０がハウジング１１０から離れるように移動すると、伸張可能なフラッシュ４１０と基板４２０との間にスペース４３０が形成される。スペース４３０は、伸張可能なフラッシュ４１０が基板４２０から離れるにつれて大きくなる。
【００６４】
処理５００では、カメラの光学ズーム部３２０を起動する（ブロック５２０）。例えば、図２Ａ乃至図２Ｄ及び図３Ａ乃至図３Ｃとの関連で説明した実施形態では、スライダバージョンの装置１００は、光学ズーム部３２０を有する圧縮可能な光学ズームカメラ（例えば、カメラ１７０）を有することができる。図４Ａ乃至図４Ｆとの関連で説明した別の実施形態では、伸張可能なフラッシュバージョンの装置１００は、カメラ１７０と、カメラ１７０に与えられ、スライド可能に装置１００の基板４２０に接続された（されていなくても良い）光学ズーム部３２０とを含むことができる。光学ズーム部３２０の起動は、カメラの起動、装置内での内部スペースの形成、及びそれらの組合せの少なくともいずれかに応じて行われてもよい。
【００６５】
図５に更に示すように、処理５００では、カメラの光学ズーム部を、装置の内部追加スペース内で伸張させることができる（ブロック５３０）。例えば、図２Ａ乃至図２Ｄ及び図３Ａ乃至図３Ｃとの関連で説明した実施形態では、カメラ（例えば、カメラ１７０）の起動に応じて、光学ズーム部３２０が伸張ポジションを取ることができる。言い換えると、光学ズーム部３２０の使用時には、光学ズーム部３２０の寸法（例えば、長さ、幅など）が拡大する（例えば、大きくする）。光学ズーム部３２０は、前方部材２１０から後方部材２２０が離れるようにスライド移動することで前方部材２１０と後方部材２２０との間に形成されたスペース３５０内に伸びることができる。光学ズーム部３２０が伸びると、可動レンズ３４０は固定レンズ３３０から離れるように移動する。倍率（即ち、ズーム機能）は、可動レンズ３４０と固定レンズ３３０との間の距離に基づいて調整することができる。図４Ａ乃至図４Ｆとの関連で説明した別の実施形態では、カメラ（例えば、カメラ１７０）の起動に応じて、基板４２０から伸張可能なフラッシュ４１０が離れるようにスライド移動して伸張可能なフラッシュ４１０と基板４２０との間に形成されたスペース４３０内に、光学ズーム部３２０が伸張する。
［結論］
発明の原理に対応する実施形態は、圧縮可能な光学ズーム部を有するカメラを含む装置に関連する。圧縮可能な光学ズーム部を利用し、装置がカメラモードにおかれている場合に装置内にスペースを提供することで、光学ズーム部は装置内の当該スペース内で伸張して、光学ズームカメラ機能を提供することができる。例えば、ある実施形態では、装置の可動部材（例えば、キーパッド及びコントロールボタンの少なくともいずれかを含む部材）が、装置の保護カバーから離れるようにスライドする場合に、装置内にスペースが提供される。カメラの光学ズーム部は、未使用時には圧縮されており、使用時には伸張して可動部材が保護カバーから離れるようにスライドし、光学ズーム部のためのスペースを形成する。光学ズーム部は、使用時でも装置の保護カバー内に保持される。もし、光学ズーム部が伸張すると、光学ズーム部の内部レンズは、カメラの光学的ニーズ（ズーム要求など）に応じて移動する。別の実施形態では、伸張可能なフラッシュが装置に提供される。伸張可能なフラッシュは、装置の保護カバーの外側へ伸張し、装置内にスペースが形成される。このスペースは、光学ズーム部の伸張のために利用される。光学ズーム部は、使用時であっても装置の保護カバー内に保持される。
【００６６】
発明の好適な実施形態についての以上の記述は、発明を説明し、記述するために提供されたものであって、決して発明を完全に網羅する、或いは発明を記載した範囲そのままに制限することを意図したものではない。上述の示唆に基づく、或いは、発明の実施において必要とされる修正及び変更は可能である。
【００６７】
例えば、図５に関連して一連の動作を説明したが、動作の順番を発明の原理に対応する他の実施形態において、修正することもできる。更に、互いに非依存の動作を並行して実行してもよい。
【００６８】
また、「備える（"comprising"又は"comprise"）」との語は、本明細書では記載された特徴、数値、工程或いは構成要素の存在を表す一方で、１以上の他の特徴、数値、工程、構成要素又はそれらのグループの存在及びそれらの追加を除外或いは排除するものではない。
【００６９】
当業者であれば、上述の本発明の側面は、図に示す実装形態における、異なる数多くの形態のソフトウェア、ファームウェア及びハードウェアにより実現可能であることを理解するであろう。発明の原理に対応する側面を実現するために利用される、現実のソフトウェアコードや特別な制御用ハードウェアは、本発明では制限されない。そのため、発明の側面の動作及び振る舞いは、特定のソフトウェアコードを参照せずに記述されている。当業者は、発明の記述に基づいて発明の側面を実施するためにソフトウェアや制御用ハードウェアを設計することは可能であろうと理解される。
【００７０】
本アプリケーションにおいて利用されるどの要素、動作或いは命令も、発明にとって重大で不可欠なものであると記載されない限りは、そのように解釈されるべきではない。また、本書面で使用するように、単数形での記載は、１つ以上の項目を含むように意図されている。１つの項目だけが意図される場合、「１つ」或いは類似のことばが使用される。更に、「基づいて」との語は、他に特に定義されない限り、「少なくとも一部に基づいて」を意味することが意図されている。
【図１Ａ】
2009543151.tif 000003
【図１Ｂ】
2009543151.tif 000004
【図２Ａ】
2009543151.tif 000005
【図２Ｂ】
2009543151.tif 000006
【図２Ｃ】
2009543151.tif 000007
【図２Ｄ】
2009543151.tif 000008
【図３Ａ】
2009543151.tif 000009
【図３Ｂ】
2009543151.tif 000010
【図３Ｃ】
2009543151.tif 000011
【図４Ａ】
2009543151.tif 000012
【図４Ｂ】
2009543151.tif 000013
【図４Ｃ】
2009543151.tif 000014
【図４Ｄ】
2009543151.tif 000015
【図４Ｅ】
2009543151.tif 000016
【図４Ｆ】
2009543151.tif 000017
【図５】
2009543151.tif 000018
【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
装置であって、
前方部材と、
前記前方部材と平行な面に設けられ、前記平行な面において前記前方部材とスライド可能に接続された後方部材であって、前記後方部材が前記前方部材から離れるように前記平行な面と関連する方向に移動すると前記前方部材と前記後方部材との間にスペースが形成される、後方部材と、
前記前方部材内に設けられた、光学ズーム部を有するカメラと
を備え、
該光学ズーム部は前記スペース内で前記平行な面と関連する方向に伸張可能であることを特徴とする装置。
【請求項２】
前記後方部材が前記前方部材に向かって移動する場合に、前記カメラを保護することを特徴とする請求項１に記載の装置。
【請求項３】
前記前方部材の裏面は、前記カメラの一部を露出するための開口部を含むことを特徴とする請求項２に記載の装置。
【請求項４】
露出された前記カメラの一部はプリズムを含むことを特徴とする請求項３に記載の装置。
【請求項５】
前記前方部材は、ディスプレイ及びスピーカのうち少なくとも一つを含むことを特徴とする請求項１に記載の装置。
【請求項６】
前記後方部材は、少なくともキーパッド、制御ボタン及びマイクロフォンのうち少なくとも一つを含むことを特徴とする請求項１に記載の装置。
【請求項７】
前記前方部材は、前記後方部材が前記前方部材に向かって移動してきた場合に、前記後方部材を保護することを特徴とする請求項６に記載の装置。
【請求項８】
前記光学ズーム部は、前記カメラの使用時であって、前記スペースが形成されている場合に、伸張することを特徴とする請求項１に記載の装置。
【請求項９】
前記光学ズーム部は、前記カメラの未使用時には圧縮されていることを特徴とする請求項１に記載の装置。
【請求項１０】
前記カメラの使用時に前記スペースが確保されていない場合には、前記光学ズーム部の伸張が妨げられることを特徴とする請求項１に記載の装置。
【請求項１１】
前記光学ズーム部は、少なくとも１つの可動レンズと、少なくとも１つの固定レンズとを含み、
前記光学ズーム部が前記スペース内に伸張する場合に、前記可動レンズは前記固定レンズから離れるように移動することを特徴とする請求項１に記載の装置。
【請求項１２】
前記後方部材は、手動で、機械的に、または、電子機械的に前記前方部材から離れるように移動されることを特徴とする請求項１に記載の装置。
【請求項１３】
前記光学ズーム部は、機械的に、或いは、電子機械的に前記スペース内に伸張されることを特徴とする請求項１に記載の装置。
【請求項１４】
装置であって、
開口を有するハウジングと、
前記ハウジングの開口に設けられ、該開口から伸張することのできる伸張可能なフラッシュと、
前記ハウジング内に設けられた、光学ズーム部を有するカメラと、
を備え、
前記伸張可能なフラッシュが前記開口より伸張する場合にスペースが形成され、前記光学ズーム部は前記スペース内に伸張可能であることを特徴とする装置。
【請求項１５】
前記ハウジング内に設けられた基板をさらに備え、
前記スペースは、前記伸張可能なフラッシュが前記開口から伸張する場合に、前記基板と前記伸張可能なフラッシュとの間に形成されることを特徴とする請求項１４に記載の装置。
【請求項１６】
前記ハウジングは、前記カメラの前記光学ズーム部を保護することを特徴とする請求項１４に記載の装置。
【請求項１７】
前記光学ズーム部は、前記カメラの使用時であって、前記スペースが形成されている場合に、伸張することを特徴とする請求項１４に記載の装置。
【請求項１８】
前記光学ズーム部は、前記カメラの未使用時に圧縮されていることを特徴とする請求項１４に記載の装置。
【請求項１９】
前記カメラの使用時に前記スペースが確保されていない場合には、前記光学ズーム部の伸張が妨げられることを特徴とする請求項１４に記載の装置。
【請求項２０】
前記光学ズーム部は、少なくとも１つの可動レンズと、少なくとも１つの固定レンズとを含み、
前記光学ズーム部が前記スペース内に伸張する場合に、前記可動レンズは前記固定レンズから離れるように移動することを特徴とする請求項１４に記載の装置。
【請求項２１】
ディスプレイと、スピーカと、キーパッドと、コントロールボタンと、マイクロフォンとの少なくともいずれかをさらに備えることを特徴とする請求項１４に記載の装置。
【請求項２２】
前記伸張可能なフラッシュは、手動で、機械的に、または、電子機械的に前記開口から伸張されることを特徴とする請求項１４に記載の装置。
【請求項２３】
前記光学ズーム部は、機械的に、或いは、電子機械的に前記スペース内に伸張されることを特徴とする請求項１４に記載の装置。
【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
装置であって、
前方部材と、
前記前方部材と平行な面に設けられ、前記平行な面において前記前方部材とスライド可能に接続された後方部材であって、前記後方部材が前記前方部材から離れるように前記平行な面と関連する方向に移動すると前記前方部材と前記後方部材との間にスペースが形成される、後方部材と、
前記前方部材内に設けられた、光学ズーム部を有するカメラと
を備え、
該光学ズーム部は前記スペース内で前記平行な面と関連する方向に伸張可能であることを特徴とする装置。
【請求項２】
前記後方部材が前記前方部材に向かって移動する場合に、前記カメラを保護し、
前記前方部材の裏面は、前記カメラの一部を露出するための開口部を含み、
露出された前記カメラの一部はプリズムを含む
ことを特徴とする請求項１に記載の装置。
【請求項３】
前記前方部材は、前記後方部材が前記前方部材に向かって移動してきた場合に、前記後方部材を保護することを特徴とする請求項１に記載の装置。
【請求項４】
前記光学ズーム部は、
前記カメラの使用時であって、前記スペースが形成されている場合に、伸張し、
前記カメラの未使用時には圧縮されており、
前記カメラの使用時に前記スペースが確保されていない場合には、伸張が妨げられる
ことを特徴とする請求項１に記載の装置。
【請求項５】
前記光学ズーム部は、少なくとも１つの可動レンズと、少なくとも１つの固定レンズとを含み、
前記光学ズーム部が前記スペース内に伸張する場合に、前記可動レンズは前記固定レンズから離れるように移動することを特徴とする請求項１に記載の装置。
【請求項６】
装置であって、
開口を有するハウジングと、
前記ハウジングの開口に設けられ、該開口から伸張することのできる伸張可能なフラッシュと、
前記ハウジング内に設けられた、光学ズーム部を有するカメラと、
を備え、
前記伸張可能なフラッシュが前記開口より伸張する場合にスペースが形成され、前記光学ズーム部は前記スペース内に伸張可能であることを特徴とする装置。
【請求項７】
前記ハウジング内に設けられた基板をさらに備え、
前記スペースは、前記伸張可能なフラッシュが前記開口から伸張する場合に、前記基板と前記伸張可能なフラッシュとの間に形成されることを特徴とする請求項６に記載の装置。
【請求項８】
前記ハウジングは、前記カメラの前記光学ズーム部を保護することを特徴とする請求項６に記載の装置。
【請求項９】
前記光学ズーム部は、
前記カメラの使用時であって、前記スペースが形成されている場合に、伸張し、
前記カメラの未使用時に圧縮され、
前記カメラの使用時に前記スペースが確保されていない場合には、伸張が妨げられる
ことを特徴とする請求項６に記載の装置。
【請求項１０】
前記光学ズーム部は、少なくとも１つの可動レンズと、少なくとも１つの固定レンズとを含み、
前記光学ズーム部が前記スペース内に伸張する場合に、前記可動レンズは前記固定レンズから離れるように移動することを特徴とする請求項６に記載の装置。
【国際調査報告】
2009543151.tif 000019
2009543151.tif 000020
2009543151.tif 000021